(57)【要約】【課題】  発光素子の点灯率、およびディマー設定の条件によって発生するシャドーイングを、実用上において問題のないレベルに低減させることができる発光表示パネルの駆動装置および駆動方法を提供すること。【解決手段】  アナログ映像信号は駆動制御回路１１およびＡ／Ｄ変換回路１２に供給され、Ａ／Ｄ変換回路１２において１画素毎に対応した画像データに変換されて画像メモリ１３に書き込まれる。画像メモリ１３に書き込まれた画像データに基づいて発光素子の点灯率が求められ、前記点灯率およびディマー設定データに基づいてルックアップテーブル１４より、走査ライン毎の期間ｔ１を制御する期間制御データが読み出される。前記期間制御データによって、非走査ラインに対する逆バイアス電圧の印加タイミングから、発光駆動電流としての定電流を点灯ラインに供給するまでの期間ｔ１が制御され、結果としてシャドーイングの発生が抑制される。【選択図】  図８
2006243304.tif 000002
【特許請求の範囲】
【請求項１】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動装置であって、
前記各走査線のうち走査対象となる走査線に対して走査選択電位を、走査対象外の走査線に対して非走査選択電位を印加する走査ドライバと、
前記各データ線のうち発光駆動対象となるデータ線に対して発光駆動電流を、発光駆動対象外のデータ線に対して非発光電位を印加するデータドライバと、
前記各走査線に接続された発光素子のうち、発光制御させるべき前記発光素子の割合ＰＮを得る点灯率取得手段とが具備され、
前記走査対象外の走査線に対して非走査選択電位が印加されてから、発光駆動対象となるデータ線に対して発光駆動電流を印加するまでの期間が、前記点灯率取得手段により得られる前記割合ＰＮに基づいて制御されるように構成したことを特徴とする発光表示パネルの駆動装置。
【請求項２】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動装置であって、
前記各走査線のうち走査対象となる走査線に対して走査選択電位を、走査対象外の走査線に対して非走査選択電位を印加する走査ドライバと、
前記各データ線のうち発光駆動対象となるデータ線に対して発光駆動電流を、発光駆動対象外のデータ線に対して非発光電位を印加するデータドライバと、
前記各走査線に接続された発光素子のうち、発光制御させるべき前記発光素子の割合ＰＮを得る点灯率取得手段と、
前記表示パネルをＤ（Ｄ＝１〜ｄ）段階にディマー表示させるディマー制御手段とが具備され、
前記走査対象外の走査線に対して非走査選択電位が印加されてから、発光駆動対象となるデータ線に対して発光駆動電流を印加するまでの期間が、前記点灯率取得手段により得られる前記割合ＰＮと前記ディマー制御手段におけるディマー制御の段階Ｄとに基づいて制御されるように構成したことを特徴とする発光表示パネルの駆動装置。
【請求項３】
前記表示パネルの一走査期間内には、全ての前記発光素子の両端がリセット電位に接続されるリセット期間と、発光制御させるべき前記発光素子に対して発光駆動電流を供給する発光期間が含まれることを特徴とする請求項１または請求項２に記載された発光表示パネルの駆動装置。
【請求項４】
前記走査対象外の走査線に対して非走査選択電位が印加されてから、発光駆動対象となるデータ線に対して発光駆動電流を印加するまでの期間の制御に対応して、前記発光期間の終了タイミングが制御されるように構成されていることを特徴とする請求項３に記載された発光表示パネルの駆動装置。
【請求項５】
前記走査選択電位と前記リセット電位は、同一の電位であることを特徴とする請求項１ないし請求項４のいずれか１項に記載された発光表示パネルの駆動装置。
【請求項６】
前記発光素子は、対向する電極間に一層以上からなる有機発光機能層を有する有機ＥＬ発光素子であることを特徴とする請求項１ないし請求項５のいずれか１項に記載された発光表示パネルの駆動装置。
【請求項７】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動方法であって、
前記各走査線に接続された発光素子のうち、発光制御させるべき前記発光素子の割合ＰＮを得る工程と、
走査対象外の前記走査線に対して非走査選択電位を印加する工程と、
前記非走査選択電位を印加してから、発光駆動対象となるデータ線に対して発光駆動電流を印加するまでの期間を前記割合ＰＮに基づいて制御し、発光駆動対象となる前記発光素子に対して発光駆動電流を供給する工程と、
を実行することを特徴とする発光表示パネルの駆動方法。
【請求項８】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動方法であって、
前記各走査線に接続された発光素子のうち、発光制御させるべき前記発光素子の割合ＰＮと、前記表示パネルをＤ（Ｄ＝１〜ｄ）段階にディマー表示させるディマー制御のデータとを得る工程と、
走査対象外の前記走査線に対して非走査選択電位を印加する工程と、
前記非走査選択電位を印加してから、発光駆動対象となるデータ線に対して発光駆動電流を印加するまでの期間を前記割合ＰＮと前記ディマー制御のデータとに基づいて制御し、発光駆動対象となる前記発光素子に対して発光駆動電流を供給する工程と、
を実行することを特徴とする発光表示パネルの駆動方法。
【発明の詳細な説明】
【技術分野】
【０００１】
この発明は、容量性の発光素子を用いたパッシブマトリクス型発光表示パネルに対して好適に採用することができる駆動装置および駆動方法に関し、特に前記発光素子の点灯率の変化に起因して生ずるシャドーイング（横クロストーク）の発生度合いを、実用上において問題のないレベルに低減させることができる発光表示パネルの駆動装置および駆動方法に関する。
【背景技術】
【０００２】
携帯電話機や携帯型情報端末機（ＰＤＡ）などの普及によって、高精細な画像表示機能を有し、薄型かつ低消費電力化を実現することができる表示パネルの需要が増大しており、従来より液晶表示パネルがその要求を満たす表示パネルとして多くの製品に採用されてきた。一方、昨今においては自発光型素子であるという特質を生かした有機ＥＬ（エレクトロ・ルミネッセンス）素子が実用化され、これが従来の液晶表示パネルに代わる次世代の表示パネルとして注目されている。これは素子の発光層に、良好な発光特性を期待することができる有機化合物を使用することによって、実用に耐え得る高効率化および長寿命化が進んだことも背景にある。
【０００３】
前記した有機ＥＬ素子は、基本的にはガラス等の透明基板上に、例えばＩＴＯによる透明電極（陽極）と発光機能層、およびアルミ合金などによる金属電極（陰極）とが順次積層されることで構成されている。そして、前記発光機能層は有機化合物による単一の発光層、あるいは有機正孔輸送層と発光層による二層構造、または有機正孔輸送層と発光層および有機電子輸送層からなる三層構造、さらには前記透明電極と正孔輸送層との間に正孔注入層を、また前記金属電極と電子輸送層との間に電子注入層を挿入した多層構造になされる場合もある。そして、前記発光機能層において発生する光は、前記透明電極および透明基板を介して外部に導出される。
【０００４】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であるということが言える。この有機ＥＬ素子は、発光駆動電圧が印加されると、先ず当該素子の電気容量に相当する電荷が電極に変位電流として流れ込み蓄積される。続いて当該素子固有の一定の電圧（発光閾値電圧＝Ｖｔｈ）を越えると、一方の電極（ダイオード成分のアノード側）から発光機能層に向かって電流が流れはじめ、この電流に比例した強度で発光すると考えることができる。
【０００５】
一方、有機ＥＬ素子は電流・輝度特性が温度変化に対して安定しているのに対して、電圧・輝度特性が温度変化に対する依存性が高いこと、また、有機ＥＬ素子は過電流を受けた場合に劣化が激しく、発光寿命を短縮させるなどの理由により、一般的には定電流駆動がなされる。かかる有機ＥＬ素子を用いた表示パネルとして、素子をマトリクス状に配列したパッシブ駆動型表示パネルが、すでに一部において実用化されている。
【０００６】
図１には従来のパッシブマトリクス型表示パネルと、その駆動回路の一例が示されており、これは陰極線走査・陽極線ドライブの形態を示している。すなわち、ｍ本のデータ線（以下、これを陽極線とも言う。）Ａ１〜Ａｍが縦方向に配列され、ｎ本の走査線（以下、これを陰極線とも言う。）Ｋ１〜Ｋｎが横方向に配列され、各々の交差した部分（計ｍ×ｎ箇所）に、ダイオードおよびコンデンサのシンボルマークによる並列結合体で示した有機ＥＬ素子Ｅ１１〜Ｅｍｎが配置されて、表示パネル１を構成している。
【０００７】
そして、画素を構成する各ＥＬ素子Ｅ１１〜Ｅｍｎは、縦方向に沿う陽極線Ａ１〜Ａｍと横方向に沿う陰極線Ｋ１〜Ｋｎとの各交点位置に対応して、一端（ＥＬ素子の等価ダイオードにおけるアノード端子）が陽極線に、他端（ＥＬ素子の等価ダイオードにおけるカソード端子）が陰極線に接続されている。さらに、各陽極線Ａ１〜Ａｍはデータドライバとしての陽極線ドライブ回路２に接続され、各陰極線Ｋ１〜Ｋｎは走査ドライバとしての陰極線走査回路３に接続されてそれぞれ駆動される。
【０００８】
前記陽極線ドライブ回路２には、駆動電圧源ＶＨからの駆動電圧を利用して動作する定電流源Ｉ１〜Ｉｍ、およびドライブスイッチＳａ１〜Ｓａｍが備えられており、ドライブスイッチＳａ１〜Ｓａｍが、前記定電流源Ｉ１〜Ｉｍ側に接続されることにより、定電流源Ｉ１〜Ｉｍからの電流が、走査される陰極線に対応して配置された個々のＥＬ素子Ｅ１１〜Ｅｍｎに対して発光駆動電流として供給されるように作用する。
【０００９】
また、前記ドライブスイッチＳａ１〜Ｓａｍは、非発光電位（図１に示す形態においては回路の基準電位であるグランド電位ＧＮＤ）が、陰極線に対応して配置された個々のＥＬ素子Ｅ１１〜Ｅｍｎに対して供給することができるように構成されている。
【００１０】
一方、前記陰極線走査回路３には、各陰極線Ｋ１〜Ｋｎに対応して走査スイッチＳｋ１〜Ｓｋｎが備えられ、非走査選択電位として機能する主にクロストーク発光を防止するために用いられる逆バイアス電圧源ＶＭからの逆バイアス電圧、もしくは走査選択電位（図１に示す形態においてはグランド電位ＧＮＤ）のうちのいずれか一方を、対応する陰極線に供給することができるように構成されている。
【００１１】
そして、前記した陽極線ドライブ回路２および陰極線走査回路３には、ＣＰＵ等を含む発光制御回路４よりコントロールバスを介してそれぞれに制御信号が供給され、表示すべき映像信号に基づいて、前記走査スイッチＳｋ１〜ＳｋｎおよびドライブスイッチＳａ１〜Ｓａｍの切り換え操作がなされる。これにより、映像信号に基づいて陰極線を所定の周期でグランド電位に設定しながら所望の陽極線に対して定電流源Ｉ１〜Ｉｍが接続され、前記各ＥＬ素子Ｅ１１〜Ｅｍｎが選択的に発光されることで、表示パネル１上に前記映像信号に基づく画像が表示される。
【００１２】
なお、図１に示す状態は、第１の陰極線Ｋ１がグランド電位に設定されて走査状態になされ、この時、非走査状態の各陰極線Ｋ２〜Ｋｎには、前記した逆バイアス電圧源ＶＭからの逆バイアス電圧が印加される。ここで、走査発光状態におけるＥＬ素子の順方向電圧をＶｆとした時、〔（順方向電圧Ｖｆ）−（逆バイアス電圧ＶＭ）〕＜（発光閾値電圧Ｖｔｈ）の関係となるように各電位設定がなされており、したがってドライブされている陽極線と走査選択がなされていない陰極線との交点に接続された各ＥＬ素子がクロストーク発光するのを防止するように作用する。
【００１３】
図２は、各ＥＬ素子の寄生容量に充電されている電荷量をゼロにするリセット期間を含むＥＬ素子の発光駆動動作を示している。なお、この明細書における説明においては、それぞれ点灯および発光の語句が混在することになるが、これらは特に使い分ける意義はなく、同一の意味として使用する。図２（Ａ）は走査同期信号を示しており、この例においては前記走査同期信号に同期して、リセット期間および定電流駆動期間が設定される。
【００１４】
そして、図２（Ｂ）および（Ｃ）は、前記各期間におけるデータドライバ（陽極線ドライブ回路）２に接続された陽極線における点灯ラインおよび非点灯ラインに印加される電位を示している。また、図２（Ｄ）および（Ｅ）は、前記各期間における走査ドライバ（陰極線走査回路）３に接続された陰極線における走査ラインおよび非走査ラインに印加される電位を示している。
【００１５】
図２に示すリセット期間においては、データドライバ２に備えられた前記ドライブスイッチＳａ１〜Ｓａｍは、発光駆動対象となるＥＬ素子に対応する陽極線（点灯ライン）に対して、図２（Ｂ）に示すようにグランド電位ＧＮＤを供給するように制御される。また、発光駆動対象外となるＥＬ素子に対応する陽極線（非点灯ライン）にも、図２（Ｃ）に示すようにグランド電位ＧＮＤを供給するように制御される。
【００１６】
一方、前記リセット期間における走査ドライバ３は、これに備えられた走査スイッチＳｋ１〜Ｓｋｎによって、走査対象とする陰極線（走査ライン）および走査対象外とする陰極線（非走査ライン）に対して図２（Ｄ）および（Ｅ）に示すように、それぞれグランド電位ＧＮＤを供給するように制御される。これにより、表示パネル１に配列された各有機ＥＬ素子Ｅ１１〜Ｅｍｎの各アノードおよび各カソード電極は、それぞれリセット電位であるグランド電位ＧＮＤに接続されることにより、各ＥＬ素子の寄生容量における電荷がゼロにされるリセット動作（ＧＮＤ−ＧＮＤリセット）が実行される。
【００１７】
また、ＥＬ素子の発光可能期間である定電流駆動期間においては、前記ドライブスイッチＳａ１〜Ｓａｍによって、発光させるべきＥＬ素子に対応する陽極線（点灯ライン）には、図２（Ｂ）に示すように定電流源Ｉ１〜Ｉｍより定電流（ＣＣ）が供給される。また、発光対象外になされるＥＬ素子に対応する陽極線（非点灯ライン）には、図２（Ｃ）に示すようにグランド電位ＧＮＤが設定される。
【００１８】
一方、前記定電流駆動期間における陰極ドライバ３は、これに備えられた前記走査スイッチＳｋ１〜Ｓｋｎによって、走査対象とする陰極線（走査ライン）を図２（Ｄ）に示すように走査選択電位であるグランド電位ＧＮＤに設定し、走査対象外とする陰極線（非走査ライン）に対しては、図２（Ｅ）に示すように非走査選択電位である逆バイアス電圧ＶＭを印加するように制御される。
【００１９】
これにより、走査ラインに接続されて、点灯対象とされるＥＬ素子には定電流源Ｉ１〜Ｉｍより点灯駆動電流が選択的に供給されて点灯状態になされ、非走査状態の陰極線には逆バイアス電圧ＶＭが印加されることにより、点灯対象とされる陽極線と走査選択がなされていない陰極線との交点に接続された各ＥＬ素子がクロストーク発光するのを防止するようになされる。
【００２０】
そして、発光制御回路４からの発光駆動データに基づく階調に応じて、定電流源Ｉ１〜Ｉｍから発光制御させるべきＥＬ素子に加えられる発光駆動電流としての定電流（ＣＣ）の供給期間（発光期間）が制御される。なお、図２（Ｆ）は、走査対象外となる陰極線（非走査ライン）における電圧波形の例を示している。前記した動作により発光駆動されるパッシブ駆動型表示装置は、次に示す特許文献１、特許文献２などに開示されている。
【特許文献１】特開２００２−３６６０９９号公報
【特許文献２】特開２００５−００３８３７号公報
【発明の開示】
【発明が解決しようとする課題】
【００２１】
ところで、前記した構成のパッシブ駆動型表示装置においては、ＥＬ素子の点灯率によっては、点灯率の異なるそれぞれの走査線に対応する各ＥＬ素子の間に、発光輝度のばらつきが生ずるいわゆるシャドーイング（横クロストーク）が発生することが知られている。図３および図４は、前記したシャドーイングが発生する状況を説明するものである。
【００２２】
図３（Ａ）および（Ｂ）は、前記した図２に示すタイミングチャートにしたがうリセット期間におけるＥＬ素子への電圧印加状態および定電流駆動期間におけるＥＬ素子への電圧印加状態をそれぞれ示したものであり、この図３においてはＥＬ素子の点灯率ＰＮが１００％の場合を例示している。なお、図３においては紙面の都合で、第１と第２および第ｍの陽極線、第１と第２および第ｎの陰極線に対応する各ＥＬ素子への電位の供給状態を示している。
【００２３】
リセット期間においては、図３（Ａ）に示すように走査スイッチＳｋ１〜ＳｋｎおよびドライブスイッチＳａ１〜Ｓａｍは、すべてグランド電位ＧＮＤを選択する。これにより、表示パネル１に配列された各有機ＥＬ素子Ｅ１１〜Ｅｍｎの各アノードおよび各カソード電極は、それぞれリセット電位であるグランド電位ＧＮＤに接続され、各ＥＬ素子の寄生容量における電荷がゼロとなるようにリセットされる。
【００２４】
一方、定電流駆動期間においては、図３（Ｂ）に示すように走査点灯させるべき例えば第１の走査線Ｋ１を走査スイッチＳｋ１を介してグランド電位ＧＮＤに設定し、他の走査線には走査スイッチＳｋ２〜Ｓｋｎを介して逆バイアス電圧ＶＭを印加するようになされる。また、この時ドライブスイッチＳａ１〜Ｓａｍはすべて定電流源Ｉ１〜Ｉｍ側に接続される（点灯率ＰＮが１００％）。
【００２５】
図３（Ｂ）示す状態によると第１の走査線Ｋ１に接続された各ＥＬ素子には、各定電流源Ｉ１〜Ｉｍからの点灯駆動電流が供給される。この時、逆バイアス電位ＶＭから走査されていないＥＬ素子の寄生容量に流れ込む電流が、各陽極線を通じて点灯対象のＥＬ素子のアノード側に過渡的に流れ込み、点灯対象のＥＬ素子の寄生容量への充電が急速に行われる。この結果、点灯対象のＥＬ素子の発光立上がりは比較的迅速に行われる。
【００２６】
次に図４は、ＥＬ素子の点灯率が低下した場合の動作例を示すものである。なお、この時のリセット期間の動作はすでに説明した図３（Ａ）に示す例と同一であるので、その図示は省略する。図４に示す例は第ｍの陽極線に対応するＥＬ素子が点灯される定電流駆動期間の動作例を示している。この例においても、走査点灯させるべき第１の走査線Ｋ１が走査スイッチＳｋ１を介してグランド電位ＧＮＤに設定され、他の走査線には走査スイッチＳｋ２〜Ｓｋｎを介して逆バイアス電圧ＶＭが印加される。
【００２７】
ここで、第１の走査線Ｋ１に接続され、かつ点灯対象外のＥＬ素子には、そのアノードおよびカソード端子にはそれぞれグランド電位ＧＮＤが印加され、寄生容量の電荷は放電された状態が維持される。したがって、逆バイアス電圧ＶＭからの走査されていないＥＬ素子のカソード側への充電には時間を要し、走査線の電位上昇は図２（Ｆ）に示すように緩慢になされる。
【００２８】
それ故、走査されていないＥＬ素子から走査点灯対象となるＥＬ素子へのデータ線を介した電荷の流れ込み（回り込み電流量）は、わずかな量にとどまる。したがって、前記した構成における前記した点灯駆動動作において、点灯率が低い状態の図４に示す右上のＥＬ素子は、点灯率が高い場合の図３（Ｂ）に示した右上のＥＬ素子に比較すると輝度が小さく発光するシャドーイングが発生する。
【００２９】
図５は前記した作用により発生するシャドーイングの例を模式的に示したものである。図５に示す表示パターンにおいて、ダブルハッチングを付した“Ａ”部分がＥＬ素子の不点灯状態になされている領域を示し、“Ｂ”部分および“Ｃ”部分はＥＬ素子が点灯状態にされている領域を示している。図５に“Ａ”として示すように走査ライン毎にみて、不点灯素子の割合が多い場合（点灯率が小さい場合）には、前記した作用により“Ｂ”で示す領域は“Ｃ”で示す領域よりも暗く発光する「暗い横クロストーク」が発生する。
【００３０】
前記したシャドーイングは、表示パネルの表示パターンや時定数などの要因により、またパネルサイズによっては走査線側の抵抗値による電位降下の影響を受けることもあり、これにより図５に“Ｂ”で示す部分は“Ｃ”で示す部分よりも明るく発光する「明るい横クロストーク」が発生することもある。
【００３１】
さらに、前記したシャドーイングは表示パネルの全体的な明暗を制御するディマー表示におけるディマー値の設定が低いほど、その発生度合いが顕著になることが知られている。これは、ディマー値を低く設定するほど、１走査期間におけるＥＬ素子の発光時間が短く、もしくは駆動電流の値が小さいために、走査されていないＥＬ素子の寄生容量を介して走査されているＥＬ素子のデータ線を介して流れ込む電荷の寄与が相対的に高くなると考えられるためである。
【００３２】
この発明は、前記したようにＥＬ素子の走査ライン毎の点灯率が低い場合において特に発生するシャドーイングの問題、かつディマー制御によるディマー値の設定が低いほど顕著に発生する前記シャドーイングの問題に着目してなされたものであり、これを実用上において問題のないレベルに低減させることができる発光表示パネルの駆動装置および駆動方法を提供することを課題とするものである。
【課題を解決するための手段】
【００３３】
前記した課題を解決するためになされたこの発明にかかる駆動装置の好ましい基本形態は、請求項１に記載のとおり、互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動装置であって、前記各走査線のうち走査対象となる走査線に対して走査選択電位を、走査対象外の走査線に対して非走査選択電位を印加する走査ドライバと、前記各データ線のうち発光駆動対象となるデータ線に対して発光駆動電流を、発光駆動対象外のデータ線に対して非発光電位を印加するデータドライバと、前記各走査線に接続された発光素子のうち、発光制御させるべき前記発光素子の割合ＰＮを得る点灯率取得手段とが具備され、前記走査対象外の走査線に対して非走査選択電位が印加されてから、発光駆動対象となるデータ線に対して発光駆動電流を印加するまでの期間が、前記点灯率取得手段により得られる前記割合ＰＮに基づいて制御されるように構成したことを特徴とする。
【００３４】
また、前記した課題を解決するためになされたこの発明にかかる駆動方法の好ましい基本態様は、請求項７に記載のとおり、互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動方法であって、前記各走査線に接続された発光素子のうち、発光制御させるべき前記発光素子の割合ＰＮを得る工程と、走査対象外の前記走査線に対して非走査選択電位を印加する工程と、前記非走査選択電位を印加してから、発光駆動対象となるデータ線に対して発光駆動電流を印加するまでの期間を前記割合ＰＮに基づいて制御し、発光駆動対象となる前記発光素子に対して発光駆動電流を供給する工程とを実行する点に特徴を有する。
【発明を実施するための最良の形態】
【００３５】
以下、この発明にかかる発光表示パネルの駆動装置について、図に示す実施の形態に基づいて説明するが、この発明にかかる表示パネルの駆動装置は前記したとおり、走査対象外の走査線に対して非走査選択電位が印加されてから、発光駆動対象となるデータ線に対して発光駆動電流を印加するまでの期間を、可変制御することを基本構想とするものである。
【００３６】
すなわち、前記した制御を実行することで、非走査選択電位としての逆バイアス電圧源ＶＭから点灯対象となるＥＬ素子に流れ込む電流量（前記した回り込み電流量）が制御され、結果として点灯対象となるＥＬ素子の発光輝度を走査ライン毎に制御することができる。これにより前記したシャドーイングの発生を防止させることが可能となる。
【００３７】
この発明にかかる駆動装置は基本的には、すでに説明した図１に示す構成と同一の回路構成が採用され、また図２に示したように走査同期信号に同期して、リセット期間（前記したＧＮＤ−ＧＮＤリセット）および定電流駆動期間が設定される。なお、以下に説明する実施の形態においては、すでに説明した各図に示す構成要素と同一の機能を果たす部分は同一符号で示すことにする。
【００３８】
図６はこの発明にかかる駆動装置において実行される点灯駆動制御を説明するタイミング図であり、図６（Ａ）〜（Ｆ）は、すでに説明した図２（Ａ）〜（Ｆ）にそれぞれ対応するものである。この発明にかかる駆動装置においては、特に図６（Ｂ）に示すようにリセット期間を過ぎた定電流駆動期間において、少なくともＥＬ素子の点灯率ＰＮに応じて、点灯ラインに供給する発光駆動電流としての定電流ＣＣの印加タイミングが制御されるように動作する。
【００３９】
すなわち、リセット期間を過ぎた定電流駆動期間においては、図６（Ｅ）に示すように非走査ラインには、非走査選択電位としての逆バイアス電圧ＶＭが印加される。この非走査選択電位の印加タイミングからｔ１の期間を経た後、図６（Ｂ）に示すように発光駆動電流としての定電流ＣＣが点灯ラインに供給されるように動作する。
【００４０】
図７は前記ｔ１の期間の経過途中の状態を、図４に対応した図面で説明するものである。この状態においては点灯ラインは全てグランド電位ＧＮＤに設定されるため、非走査状態にされる陰極線Ｋ２〜Ｋｎと、これに接続された各ＥＬ素子の寄生容量を介して陽極線に流れ込む逆バイアス電圧ＶＭからの電流は、各ドライブスイッチＳａ１〜Ｓａｍを介して、全て基準電位点であるグランドＧＮＤ側に流れる。
【００４１】
したがって前記ｔ１の期間が長く設定される場合（定電流駆動期間における発光期間の開始タイミングが遅れる場合）においては、非走査状態にされるＥＬ素子の寄生容量とデータ線を介して、走査点灯対象となるＥＬ素子のアノード電極側に回り込む前記逆バイアス電圧ＶＭからの電流量は小さくなる。それ故、走査点灯対象となるＥＬ素子の発光輝度は小さくなる。
【００４２】
また前記ｔ１の期間が短く設定される場合（定電流駆動期間における発光期間の開始タイミングが早い場合）には、非走査状態にされるＥＬ素子の寄生容量とデータ線を介して、走査点灯対象となるＥＬ素子のアノード電極側に回り込む前記逆バイアス電圧ＶＭからの電流量は大きくなる。それ故、走査点灯対象となるＥＬ素子の発光輝度は大きくなる。
【００４３】
要するに、前記ｔ１の期間が短い場合には走査点灯対象となるＥＬ素子の発光輝度は大きくなり、前記ｔ１の期間が長い場合には走査点灯対象となるＥＬ素子の発光輝度は小さくなる。したがって、前記した作用を利用して、走査ライン毎に前記ｔ１の期間を制御するように動作させることで、点灯率によって走査ライン毎に生ずる発光制御すべきＥＬ素子の輝度のばらつき、すなわち、これにより生ずる前記したシャドーイングを抑制させることが可能となる。
【００４４】
図８は、図１に示す構成に対して、発光制御回路４に対応するより詳細な構成と、ＥＬ素子の点灯率に応じて前記ｔ１を可変制御することで、シャドーイングの発生を抑制させるようにした構成とを備えたこの発明を実施するための一つの形態を示している。この図８に示す発光制御回路４に対しては、アナログ映像信号が供給される。すなわち、このアナログ映像信号は発光制御回路４を構成する駆動制御回路１１およびアナログ／デジタル（Ａ／Ｄ）変換回路１２に供給される。
【００４５】
前記駆動制御回路１１はアナログ映像信号中における水平同期信号および垂直同期信号に基づいて、Ａ／Ｄ変換回路１２に対するクロック信号ＣＫ、および画像メモリ１３に対する書き込み信号Ｗおよび読み出し信号Ｒを生成する。また、駆動制御回路１１は前記した水平同期信号および垂直同期信号に基づいて、図８に示すデータドライバ２におけるドライブスイッチＳａ１〜Ｓａｍの切り換え信号を出力すると共に、走査ドライバ３における走査スイッチＳｋ１〜Ｓｋｎの切り換え信号を出力するようになされる。
【００４６】
前記Ａ／Ｄ変換回路１２は駆動制御回路１１から供給されるクロック信号に基づいて、入力されたアナログ信号をサンプリングし、これを１画素毎に対応した画像データに変換して画像メモリ１３に供給するように作用する。前記画像メモリ１３は、前記駆動制御回路１１からの書き込み信号ＷによってＡ／Ｄ変換回路１２から供給される各画素データを画像メモリ１３に順次書き込むように動作する。
【００４７】
前記画像メモリ１３としてはフレームメモリが用いられており、前記した書き込み動作により表示パネル１における一画面（ｍ列、ｎ行）分のデータの書き込みが行われる。そして一画面分のデータの書き込みが終了するとメモリ１３からは駆動制御回路１１から供給される読み出し信号Ｒによって走査線の第１行から第ｎ行へと１行分（１走査分）毎に画像データが読み出される。そして、駆動制御回路１１は１行分毎の画像データより発光制御させるべきＥＬ素子の割合（１走査毎のＥＬ素子の点灯率）ＰＮを得るように動作する。換言すれば、前記駆動制御回路１１はＥＬ素子の点灯率取得手段として機能する。
【００４８】
また、前記駆動制御回路１１には、ディマー設定手段１５よりディマー制御データが供給されるように構成されており、これにより表示パネル１をＤ（Ｄ＝１〜ｄ）段階にディマー表示させるように構成されている。このディマー設定手段１５は手動によりディマー値を設定させる場合もあり、またモバイル機器などにおいては外光を受けて自動的にディマー値を設定させるように構成される場合もある。
【００４９】
前記駆動制御回路１１は、一つの形態として各走査線に対応する前記点灯率ＰＮに基づいて、走査線毎の輝度補正データ、換言すれば前記した期間ｔ１に対応する期間制御データをルックアップテーブル１４より求め、このルックアップテーブル１４より求められた期間制御データに基づいて、図８に示すドライブスイッチＳａ１〜Ｓａｍの切り換え動作を制御する。そして、前記した動作は走査ドライバ３の走査に同期して走査線の第１行から第ｎ行（Ｎ＝１〜ｎ）に向かって順次実行される。
【００５０】
また前記駆動制御回路１１は、他の一つの形態として各走査線に対応する前記点灯率ＰＮと、この時に設定されている前記ディマー制御のデータ（Ｄ＝１〜ｄ）に基づいて、走査線毎の輝度補正データ、すなわち前記した期間ｔ１に対応する期間制御データをルックアップテーブル１４より求め、ルックアップテーブル１４より求められた期間制御データに基づいて、図８に示すドライブスイッチＳａ１〜Ｓａｍの切り換え動作を制御する。この場合に用いられる前記ルックアップテーブル１４は、ＥＬ素子の点灯率とディマー制御データとより、前記した期間制御データを引き出すことができるマップ状（二次元）に構築されることになる。
【００５１】
図９は図８に示した構成によって、シャドーイングの発生を抑制させる例を説明するものであり、上の画面表示はシャドーイングが発生している状態を示し、下の画面表示はシャドーイングの発生を抑制させた状態を模式的に示している。なお、図９における上の画面表示はすでに説明した図５に示した例と同一であり、ダブルハッチングを付した“Ａ”部分がＥＬ素子の不点灯状態になされている領域を示し、“Ｂ”部分および“Ｃ”部分はＥＬ素子が点灯状態にされている領域を示している。そして、上の画面表示の例においては同一の発光駆動データでありながら“Ｂ”で示す領域が“Ｃ”で示す領域よりも暗く発光する「暗い横クロストーク」が発生している状態を示している。
【００５２】
図９における上の画面表示のように「暗い横クロストーク」が発生している場合においては、“Ｃ”の領域の輝度を“Ｂ”の領域における輝度に一致させるように、“Ｃ”の領域の輝度を若干下げるように制御することで、実質的にシャドーイングの発生を抑制させることができる。これには、“Ｃ”の領域の走査においては、図６（Ｂ）に示すｔ１の期間がより長くなるように制御し、また“Ｂ”の領域の走査においては、図６（Ｂ）に示すｔ１の期間を短くするように制御することで、前記した「暗い横クロストーク」によるシャドーイングの発生を抑制させることができる。
【００５３】
前記した構成による点灯駆動動作によると、一画面に対応する各走査ライン毎の点灯率ＰＮに基づいて、走査ライン毎に期間制御データがテーブルから読み出され、これにより走査ライン毎に、前記期間ｔ１を制御するようになされる。これにより、図９における下の画面表示に示したように、シャドーイングの発生を効果的に抑制させることが可能となる。
【００５４】
そして、走査ライン毎にテーブルより読み出される期間制御データが、一画面に対応する各走査ライン毎の点灯率ＰＮと、この時に設定されているディマー制御データに基づくものである場合においては、ＥＬ素子の点灯率によるシャドーイングの是正に加え、特に低ディマー時におけるシャドーイングの発生を効果的に抑制させることが可能となる。
【００５５】
なお、図８に示した構成において時間階調を実行する場合においては、発光表示させるべきＥＬ素子に対する発光駆動電流を与える期間（発光期間）は、各画素に対応する発光駆動データに基づいて決定される。したがって、前記したように期間制御データによる発光開始タイミング（前記期間ｔ１）の制御に対応して、図６（Ｂ）に示すように前記発光期間の終了タイミングを、同様にｔ１の期間延長する制御を実行することが必要となる。
【００５６】
図１０は図８に示した構成によって、シャドーイングの発生を抑制させる他の例を説明するものであり、上の画面表示はシャドーイングが発生している状態を示し、下の画面表示はシャドーイングの発生を抑制させた状態を模式的に示している。この図１０に示す例は、ＥＬ素子の点灯率が図９に示す例よりもさらに低下し、同一の発光駆動データでありながら“Ｂ”で示す領域が“Ｃ”で示す領域よりも明るく発光する「明るい横クロストーク」が発生している状態を模式的に示している。
【００５７】
前記したようなシャドーイングの発生状況においては、図１０に示す“Ｃ”の領域の輝度を“Ｂ”の領域における輝度に一致させるように、“Ｃ”の領域の輝度を若干上げるように制御することで、実質的にシャドーイングの発生を抑制させることができる。これには、“Ｃ”の領域の走査においては、図６（Ｂ）に示すｔ１の期間がより短くなるように制御し、また“Ｂ”の領域の走査においては、図６（Ｂ）に示すｔ１の期間をより長くするように制御することで、前記した「明るい横クロストーク」によるシャドーイングの発生を抑制させることができる。
【００５８】
前記した構成による点灯駆動動作によると、一画面に対応する各走査ライン毎の点灯率ＰＮに基づいて、走査ライン毎に期間制御データがテーブルから読み出され、これにより走査ライン毎に、前記期間ｔ１を制御するようになされる。これにより、図１０における下の画面表示に示したように、シャドーイングの発生を効果的に抑制させることが可能となる。
【００５９】
そして、すでに説明した例と同様に、走査ライン毎にテーブルより読み出される期間制御データが、一画面に対応する各走査ライン毎の点灯率ＰＮと、この時に設定されているディマー制御データに基づくものである場合においては、ＥＬ素子の点灯率によるシャドーイングの是正に加え、特に低ディマー時におけるシャドーイングの発生を効果的に抑制させることが可能となる。
【００６０】
なお、以上説明した実施の形態においては、表示パネルに配列される発光素子として有機ＥＬ素子を用いた例を示しているが、前記発光素子として容量性の他の素子を用いた場合においても同様の作用効果を得ることができる。また、前記した実施の形態においてはＥＬ素子の点灯率およびディマー制御データに基づいて、ルックアップテーブルより非走査選択電位データを読み出すように構成しているが、この非走査選択電位データは論理演算により求めるように構成されていてもよい。
【図面の簡単な説明】
【００６１】
【図１】従来のパッシブマトリクス型表示パネルとその駆動回路の一例を示した回路構成図である。
【図２】図１に示した表示パネルにおける点灯駆動動作を説明するタイミングチャートである。
【図３】図２に示すタイミングチャートにしたがう発光素子の点灯率が高い場合の動作を説明する回路構成図である。
【図４】図２に示すタイミングチャートにしたがう発光素子の点灯率が低い場合の動作を説明する回路構成図である。
【図５】シャドーイングが発生する例を示した模式図である。
【図６】この発明にかかる表示パネルの点灯駆動動作を説明するタイミングチャートである。
【図７】図６に示す駆動動作の一部を説明する回路構成図である。
【図８】この発明にかかる駆動装置における基本構成を示した回路構成図である。
【図９】図８に示す構成によってなされるシャドーイングの是正例を説明する模式図である。
【図１０】図８に示す構成によってなされるシャドーイングの他の是正例を説明する模式図である。
【符号の説明】
【００６２】
１              発光表示パネル
２              データドライバ
３              走査ドライバ
４              発光制御回路
１１            駆動制御回路（点灯率取得手段）
１２            Ａ／Ｄ変換回路
１３            画像メモリ
１４            ルックアップテーブル
１５            ディマー設定手段
Ａ１〜Ａｍ      データ線（陽極線）
Ｅ１１〜Ｅｍｎ  発光素子（有機ＥＬ素子）
Ｉ１〜Ｉｍ      点灯駆動電源（定電流源）
Ｋ１〜Ｋｎ      走査線（陰極線）
Ｓａ１〜Ｓａｍ  ドライブスイッチ
Ｓｋ１〜Ｓｋｎ  走査スイッチ
ＶＨ            駆動電圧源
ＶＭ            逆バイアス電圧源（非走査選択電源）
【図１】
2006243304.tif 000003
【図２】
2006243304.tif 000004
【図３】
2006243304.tif 000005
【図４】
2006243304.tif 000006
【図５】
2006243304.tif 000007
【図６】
2006243304.tif 000008
【図７】
2006243304.tif 000009
【図８】
2006243304.tif 000010
【図９】
2006243304.tif 000011
【図１０】
2006243304.tif 000012